(57)【特許請求の範囲】
【請求項１】
モービル無線網でのコールバックサービスを実施する方法において、
−サービスセンタ（ＳＣＰ）、
−第１の部分ネットワーク（ＶＰＬＭＮ）内の第１の交換局（ＭＳＣ）、
−第２の部分ネットワーク（ＨＰＬＭＮ）内の第２の交換局（ＧＭＳＣ）、
−加入者レジスタ（ＨＬＲ）
を含んでおり、
その際、サービスコール（Ａ）のＵＳＳＤストリングを、発呼者（Ａパーティ）から前記第１の交換局（ＭＳＣ）を介して第１の部分ネットワーク（ＶＰＬＭＮ）から前記加入者レジスタ（ＨＬＲ）に伝送し、
当該加入者レジスタ（ＨＬＲ）から前記サービスセンタ（ＳＣＰ）に転送し、
前記サービスセンタからの前記ＵＳＳＤストリングおよび発呼者（Ａパーティ）及び被呼者（Ｂパーティ）への情報を分析し、及び、
前記被呼者から前記発呼者へのコールバックをセットアップし、その際、サービスにより、
−第１のステップで、コールセットアップを開始して発呼者（Ａパーティ、２４，８）に戻し、及び
−前記発呼者への前記第１のコールセットアップが成功した場合、第２のステップで、コールセットアップを被呼者（Ｂパーティ）のために開始する
ことを特徴とする方法。
【請求項２】
第１及び第２のコールセットアップを、第２の交換局（ＧＭＳＣ）によって開始する請求項１記載の方法。
【請求項３】
サービスセンタにより、コネクションセットアップ要求（ＩＣＡ）を第２の交換局（ＧＭＳＣ）に送信する請求項２記載の方法。
【請求項４】
加入者レジスタ（ＨＬＲ）内の機能を、サービスコール内の制御情報によってスタートする請求項１から３迄の何れか１記載の方法。
【請求項５】
加入者レジスタ（ＨＬＲ）のサービスコール（ＵＳＳＤストリング）を、サービスセンタに転送される前に発呼者のコール番号（ＭＳＩＳＤＮ）によって補完する請求項４記載の方法。
【請求項６】
サービスセンタ（ＳＣＰ）からＡパーティ（ＭＳＣ）へのサービスコールの入力を確認する（Ｃ，Ｄ）請求項１から５迄の何れか１記載の方法。
【請求項７】
コールセットアップが成功した場合（"アンサー(answer)"，１５）第２の交換局ＧＭＳＣによって課金情報（ＡＭＡチケット）を形成する請求項１から６迄の何れか１記載の方法。
【請求項８】
コールセットアップが成功しなかった場合（"ノーアンサー(no−answer)"，１５）、サービス（ＵＣＢ）により設けられたＩＮ（インテリジェントネットワーク）サービスコールを終了する（リリースコール）請求項１から５迄の何れか１記載の方法。
【請求項９】
加入者が別のＩＮ（インテリジェントネットワーク）サービスに加入し（ＰＰＳ）、
サービスセンタは、コネクションセットアップ要求（ＩＣＡ）を第２の交換局（ＧＭＳＣ）に送信し、その際、前記コネクションセットアップ要求を、加入された前記ＩＮ（インテリジェントネットワーク）サービス（ＰＰＳ）の識別部（ＸＸＸ）だけ補完する請求項１から８迄の何れか１記載の方法。
【請求項１０】
元の着信ＭＴＣに関して既存のＩＮ（インテリジェントネットワーク）ダイアログをサービスセンタ（ＳＣＰ）で抑制する請求項１から９迄の何れか１記載の方法。
【請求項１１】
発呼者へのコネクションセットアップが成功した後（"アンサー(answer)"９）、被呼者へのコネクションセットアップを要求し、
その際、元の選択された番号を、別のＩＮ（インテリジェントネットワーク）サービス（ＰＰＳ）に権限のあるサービスセンタ（ＳＣＰ）の識別部を補完する（ＹＹＹ）
請求項９又は１０記載の方法。
【発明の詳細な説明】
【０００１】
発明の分野
本発明は、モービル無線網でのコールバックサービスを実施する方法に関する。
【０００２】
モービル通信システムは、近年益々重要性を増している。ＧＳＭ（グローバル・システム・フォー・モービル・コミュニケーション：Ｇｌｏｂａｌ  Ｓｙｓｔｅｍ  ｆｏｒ  Ｍｏｂｉｌｅ  Ｃｏｍｍｕｎｉｃａｔｉｏｎ）のような標準規格の導入によって、この間、ＧＳＭ規格が広まり、自国及びネットワークオペレータの枠を越えて通信できるようになった。
【０００３】
外国で開始された通話では、訪問ネットワーク（ＶＰＬＭＮ）のネットワークオペレータは、ネットワーク加入者によって支払われる料金の７０％を受け取り、ホームネットワーク（ＨＰＬＭＮ）のオペレータは３０％しか受け取らない。
【０００４】
従来技術
電気通信網、殊に、モービル無線網のカストマには、多数の電気通信網が既に提供されている。
【０００５】
新規のサービスを迅速且つ出来る限りメーカ及びネットワークオペレータ（既存のインフラストラクチュアを含む）に依存せずに提供するために、インテリジェントネットワークＩＮの技術的概念が開発された。ＩＴＵ（国際電気通信連合）内部で、ＩＮ（インテリジェントネットワーク）アーキテクチュアを定義する標準化された技術的概念が作られた（規格Ｑ．１２００以下参照）。
【０００６】
別の技術展開では、ＣＡＭＥＬ（カストマイズド・アプリケーション・フォー・モービル・ネットワーク・エンハンスド・ロジック：Customized Application for Mobile Network Enhanced Logic:  ＧＳＭ  ０２．７８参照）が開発されており、ここでは、ＩＮフィーチュアがＧＳＭアーキテクチュアに導入されている。ＣＡＭＥＬによって、「ローミング」がインターナショナルにも種々異なるオペレータネットワーク間でも簡単となり、外部ＧＳＭネットワーク内のＣＡＭＥＬサーバにアクセスするために統一的なプロトコルが提供される。
【０００７】
従って、本発明が基づく課題は、冒頭に挙げた問題点をインターナショナルでも又はプロバイダ間ローミングでも解決する手段を提供することである。
【０００８】
更に、本発明の課題は、モービル無線網でのコールバックサービスを実施することである。
【０００９】
発明の説明
本発明によると、この課題は、請求項１記載の方法により解決される。
【００１０】
本発明の、ローミングモービル無線加入者用のコールバックサービスにより、ＰＬＭＮオペレータがコールバックサービスの利点を利用することができるようになる。
【００１１】
コールバックサービス（”ＵＳＳＤ  コールバックサービス（ＵＳＳＤ  Ｃａｌｌ  Ｂａｃｋ  Ｓｅｒｖｉｃｅ）”）ＵＳＢにより、所望の機能を利用することができるようになる：
・着信ＵＳＳＤストリングの分析
・ＡパーティとＢパーティの分析
・Ａパーティ用のコールのセットアップ
・Ｂパーティ用のコールのセットアップ
ＩＮサービスＵＳＢは、”ＵＳＳＤストリング”を用いて、訪問したネットワークＶＰＬＭＮからトリガされる。ローミング加入者がＩＮカストマにいない場合、ＨＬＲ(ホーム・ロケーション・レジスタ：Home Location Register)は、ＵＳＳＤストリングを、ＵＳＢをサポートする標準ＳＣＰ（サービス・コントロール・ポイント）に転送し；ローミング加入者がＩＮカストマである場合、正確なＳＣＰアドレスが”ＣＡＭＥＬ  サブスクライバ・インフォメーション（ＣＡＭＥＬ  Ｓｕｂｓｃｒｉｂｅｒ  Ｉｎｆｏｒｍａｔｉｏｎ）”ＣＳＩ内に配置される。
【００１２】
コールバックサービスにより、ホームネットワークのＨＰＬＭＮオペレータが有利になるように、課金関係を逆にすることができ：コールはＨＰＬＭＮによってセットアップされるので、ＨＰＬＭＮオペレータは、料金の比較的大きな部分を受け取る。
【００１３】
本発明の有利な実施例は、従属請求項から得られる。
【００１４】
新規のコールバックサービス”ＵＳＳＤ  コールバックサービス（ＵＳＳＤ  Ｃａｌｌ  Ｂａｃｋ  Ｓｅｒｖｉｃｅ）”と、他のＩＮサービスとのインターワーキングが同様に記述されている。この際、特別な点は、訪問したネットワーク（ＶＰＬＭＮ）がＣＡＭＥＬプロトコルをサポートしていない場合でも、ＵＳＢにより、ローミング加入者がＩＮ（インテリジェントネットワーク）を介して電話をかけることができる。
【００１５】
従って、サービスＵＳＢを、ローミングＩＮカストマが利用することができるようになり、ローミングＩＮカストマは、ＣＡＭＥＬなしでもローミングＩＮカストマの加入サービスを利用することができる。即ち、ＣＡＭＥＬをサポートするＶＰＬＭＮでは、ローミング加入者はＣＡＭＥＬを利用し、ＣＡＭＥＬサポートなしの国では、ＵＳＳＤ手段を利用できる。
【００１６】
更に、非ＩＮカストマはＵＳＢを利用することができる。
【００１７】
他の問題点としては、ＳＣＰ（サービス・コントロール・ポイント）での複数ＩＮサービス間でのインターワーキングがある。ＩＮサービスＵＳＢは、この問題を”コールド・パーティ・アドレス（Ｃａｌｌｅｄ  Ｐａｒｔｙ  Ａｄｄｒｅｓｓ）”  ＣｄＰＡ及び”コーリング・パーティ・アドレス（Ｃａｌｌｉｎｇ  Ｐａｒｔｙ  Ａｄｄｒｅｓｓ）”  ＣｇＰＡを適切にセットすることによって解決する。
【００１８】
図面の簡単な説明
以下、本発明について図示の実施例を用いて詳細に説明する。その際、
図１は、ＳＣＰ（サービス・コントロール・ポイント）でのＵＳＢサービスの作動状態を示す図、
図２は、本発明による「コールバック」コネクションの構成を示す図、
図３は、ＣＡＭＥＬがサポートしない電気通信網とのインターワーキングを示す図である。
【００１９】
有利な実施例の説明
図１は、着信したＵＳＳＤ（アンストラクテッド・サプリメンタリ・サービス・データ（Unstructured Supplementary Service Data））によってストリングがトリガされる様子を示し、このストリングを、ローミングモービル無線加入者は、訪問ネットワークＶＰＬＭＮ内のモービル交換局ＭＳＣを介して送ることができる（Ａ）。
【００２０】
通常のように、加入者が管理されている自国の（ハイマート）レジスタＨＬＲに対して”ＵＳＳＤストリング”が決められる。しかし、ＵＳＳＤストリング制御情報（ヘッダ）を用いて、シーメンスＨＬＲで利用される機能”フォロー−ミー（Ｆｏｌｌｏｗ−Ｍｅ）”（ＳＲ７）がトリガされる。この機能は、一方では、ＵＳＳＤストリングを加入者（Ａパーティ）のＭＳＩＳＤＮ（モービル・サブスクライバ・ISDN・ナンバ：Mobile Subscriber ISDN Number)の分だけ拡張して、それから、このＵＳＳＤストリングを、コールバックサービスＵＣＢをサポートするサービスセンタＳＣＰ（サービス・コントロール・ポイント）に転送する。
【００２１】
ＳＣＰ（サービス・コントロール・ポイント）は、ＩＮサービスＵＳＢをスタートする。ＳＣＰ（サービス・コントロール・ポイント）は、再度ＡパーティにＵＳＳＤストリングを返送して、Ａパーティは、この入力を確認する（Ｃ，Ｄ）。
【００２２】
ＩＮサービスＵＣＢは、先ずＡパーティとのコネクションを"インテリジェント・コール・アテンプト：IntiateCallAttempt"ＩＣＡを用いてセットアップする（図２参照）。コーリングパーティCgPAは、選択された本来のコールドパーティ(Called Party)ＣｄＰＡ（Ｂパーティ）であり、ＣｄＰＡは、元のＣｇＰＡ(ＡパーティのＭＳＩＳＤＮ)であり；それと同時に、全ての"イベント・デテクション・ポイント：Event Detection Points"EDPに"リクエスト・リポート・BCSM・イベント：RequestReportBCSMEvent"RRBが設けられており（２１）、それから、"コンティニュー：Continue"CUEで続けられる。
【００２３】
ゲートウェイモービル交換局ＧＭＳＣは、加入者ＧＳＭの加入者レジスタＨＬＲを基準により"センド・ルーティング・インフォメーション：SendRoutingInformation"ＳＲＩを用いて質問する（２２，２３）。ＩＡＭを介して、ローミングＡパーティとのコネクションがセットアップされる（２４）。"イベント・リポート・BCSM：EventReportBCSM"ＥＲＢを用いて、サービスＵＣＢは、Ａパーティが応答したかどうか（アンサー:answer）、通話中（ビジー:busy）かどうか、応答していない（ノーアンサー:no−answer）又は到達不可能（ノットリーチアブル:not−reachable）の情報を受け取る（２５）。
【００２４】
"アンサー(answer)"の場合、ＵＣＢは、"ファニッシュ・チャージング・インフォメーション：FurnishChargingInformation"ＦＣＩで応答し、その結果、ＧＭＳＣに、ＩＮ料金（ＡＭＡ）チケットが書き込まれ、オペレーション"コネクト：Connect"CONにより、元の所望のＢパーティとのコネクションが形成される。
【００２５】
他の全てのイベント（ビジー(busy)、ノーアンサー:no−answer、ノットリーチアブル:not−reachable)場合、ＩＮダイアローグが"リリース・コール：ReleaseCall"RLで整然と終了する。必ずしも、"アンサー(answer)"の他に更にＥＤＰ（イベント・デテクション・ポイント）を設ける必要はない。つまり、例えば、"ノットリーチアブル(not−reachable)"が設けられていない場合、ＳＣＰ（サービス・コントロール・ポイント）は、このイベントにより何ら作用されない。ＧＭＳＣは、コールを自ら開始し、ＳＣＰ（サービス・コントロール・ポイント）は、所定時間内に情報が得られない場合、同様に応答する。
【００２６】
シナリオ(Szenrios)のＧＭＳＣは、Ａからの"アンサー(answer)"を用いて"ローミングチケット(Roaming Ticket)"を形成し、この"ローミングチケット(Roaming Ticket)"内にアンサー時間が記入される。ＡパーティのＶＭＳＣ内に、"MTCチケット（MTC Ticket）"が書き込まれ、ＳＳＰは、ＦＣＩオペレーションに基づいて"IN AMA チケット（IN AMA Ticket）"を書き込む。
【００２７】
ＵＳＢ（USSD コールバック・サービス）は、"ゲット・ユーザ・レコード：GetUserRecord"を用いて、ＩＮサービスにＡパーティが加入したかどうか、及び、どのＩＮサービスにＡパーティが加入したか判定する。ＡパーティがＩＮサブスクリブションでない場合、ＵＣＢ（USSD コールバック・サービス）は、上述のように処理される。
【００２８】
ＡパーティがＩＮサブスクリブション（加入）を有する場合、ＵＣＢ（USSD コールバック・サービス）は、ＣｇＰＡを"イニシャル・コール・アテンプト：InitiateCallAttempt"ＩＣＡで管理可能な個数の管理可能な数ＸＸＸだけ拡張し、この数は、１６進数を有する（図３には、例として、加入されたＩＮサービス：Prepaid Serviceが図示されている）（１）。続くＨＬＲｓ２及び３の問い合わせにより、出来る限り一つのＴ−ＣＳＩが供給される。
【００２９】
ＭＴＣ  ＩＮダイアローグは所望でないので（ローミングＡパーティは、本来一つの出呼（モービル・オリジネーティング・コール：Mobile Originating Call)MOCを伝送する）、このＭＴＣ  ＩＮダイアローグは、ＳＤＤＰＦＣを用いて抑制される必要があるか、又は、エントリＦＳＬ又は（モービルターミネーティングコール）ＭＴＣサービスロジック内で、ＸＸＸコードに基づいて抑制される必要がある。加入者レジスタＨＬＲの第２の問い合わせ（２段階の問い合わせの第２のステップ！）は、ＭＳＲＮを供給し（６及び７）、それにより、Ａパーティへのコネクションが可能になる（８）。
【００３０】
Ａパーティが応答すると直ぐに（９）、このＡパーティは、ＵＳＢにＥＲＢを介して伝達される（１０）。それに続いて、ＵＳＢはオペレーション"コネクト：Connect"CONを続行し、このオペレーションは、コーリングパーティＣｇＰＡとして、ＡパーティのＭＳＩＳＤＮを含み、コールされたパーティＣｄＰＡとして、ＡパーティのＭＳＩＳＤＮを含み、コールされたパーティＣｄＰＡとして、管理可能な個数の管理可能な数ＹＹＹ（１６進数も可）だけ拡張された元の選択されたＢパーティの番号を有する（１１）。ＹＹＹで、ＳＳＰにてコード点を配列することができ、このコード点は、ＩＤＰ（イニシャル・デテクション・ポインタ：Initial Detection Pointer）を介して（１２）、所望のＩＮサービスを「正確な（’ｒｉｃｈｔｉｇｅｎ’）」ＳＣＰ（サービス・コントロール・ポイント）でトリガする（ＹＹＹは、ＩＮサービス特有に設けることができる）。
【００３１】
ＳＣＰ（サービス・コントロール・ポイント）は、所在地ＡパーティのＡロケーションについての情報を有していないので、サービスロジックエントリＦＳＬ又はＭＯＣ  ＩＮサービスロジックは、"エニータイム・インタロゲーション：AnyTimeInterrogation"ＡＴＩを介してＡロケーションを求める（１３）。続いて、ＭＯＣサービスロジックが作動され、その際、このロジックが直接ＣＡＰ：ＩＤＰを介してスタートされるかのように作動する。図示の場合、ＰＰＳは、"アプライ・チャージング：ApplyCharging"AC及び"コネクト：Connect"CON Bパーティで続く。
【００３２】
Ａパーティが達成可能でない場合（ビジー（busy）,ノー・アンサ（no−answer）,ノット・リーチアブル（not−reachable）)、上述のように最適に処理することができる。
【図面の簡単な説明】
【図１】  ＳＣＰ（サービス・コントロール・ポイント）でのＵＳＢサービスの作動状態を示す図
【図２】  本発明による「コールバック」コネクションの構成を示す図
【図３】  ＣＡＭＥＬがサポートしない電気通信網とのインターワーキングを示す図
【符号の説明】
ＡＭＡ  オートマチック・メッセージ・アカウンティング（Automatic Message Accounting）
ＣＡＭＥＬ  カストマイズド・アプリケーション・フォー・モービル・ネットワーク・エンハンスド・ロジック（Customized Applications For Mobile Network Enhanced Logic） (GSM 02.78)
ＣＡＰ  CAMEL アプリケーション・パート（CAMEL Application Part）
ＣｄＰＡ  コールド・パーティ（Called Party）
ＣｇＰＡ  コーリング・パーティ（Calling Party）
ＣＯＮ  コネクト（Connect）
ＣＳＩ  CAMEL サブスクライバ・インフォメーション（CAMEL Subscriber Information）
ＣＵＥ  コンティニュー（Continue）
ＥＤＰ  イベント・デテクション・ポイント（Event Detection Point）
ＦＣＩ  ファーニッシュ・チャージング・インフォメーション（Furnish Charging Information）
ＦＳＬ  フレキシブル・サービス・ロジック（Flexible Service Logic）
ＧＭＳＣ  ゲートウェイ・モービル・サービシズ・スイッチング・センタ（Gateway Mobile Services Switching Centre）
ＧＳＭ  グローバル・システム・フォー・モービル・コミュニケーション（Global System for Mobile Communication）
ＨＬＲ  ホーム・ロケーション・レジスタ（Home Location Register） (Teilnehmerverzeichnis)
ＨＰＬＭＮ  ホーム・パブリック・ランド・モービル・ネットワーク（Home Public Land Mobile Network） (Heimatnetz)
ＩＣＡ  インテリジェント・コール・アテンプト（InitiateCallAttempt）
ＩＮ  インテリジェントネットワーク（Intelligent Network） (Intelligentes Netz)
ＭＯＣ  モービル・オリジネーティング・コール（Mobile Originating Call）
ＭＳＣ  モービル・スイッチング・センタ（Mobile Switching Center） (Vermittlungsstelle im Mobilfunknetz)
ＭＳＩＳＤＮ  モービル・サブスクライバ・ISDN・ナンバ（Mobile Subscriber ISDN Number）
ＭＳＲＮ  モービル・ステーション・ローミング・ナンバ（Mobile Station Roaming Number）
ＭＴＣ  モービル・ターミネーティング・コール（Mobile Terminating Call）
ＰＰＳ  プリペイド・サービス（Prepaid Service）
ＳＣＰ  サービス・コントロール・ポイント（Service Control Point） (Dienstezentrale)
ＳＲＩ  センド・ルーティング・インフォメーション（Send Routing Information）
ＶＰＬＭＮ  ビジテッド・パブリック・ランド・モービル・ネットワーク（Visited Public Land Mobile Network） (besuchtes Netz)
ＵＣＢ  USSD コールバック・サービス（USSD CallBack Service） (Rueckruf-Dienst)
ＵＳＳＤ  アンストラクチュアド・サプリメンタリ・サービス・データ（Unstructured Supplementary Service Data）
【図１】
0004608164.tif 000002
【図２】
0004608164.tif 000003
【図３】
0004608164.tif 000004